(57)【要約】【課題】表示装置としての機能向上や品質向上を図り得るようにする。【解決手段】文字板２の表面側に指針３が回動可能に配設された車両用表示装置であって、文字板２を立体表示板１１とし、立体表示板１１の内側部分１２の虚像を、指針３よりも奥側に発生可能に構成すると共に、外側部分１４の虚像を、指針３よりも手前側に発生可能に構成するようにしている。【選択図】図１
2008039653.tif 000002
【特許請求の範囲】
【請求項１】
文字板の表面側に指針が回動可能に配設された車両用表示装置において、
前記文字板を立体表示板とし、
該立体表示板の内側部分の虚像を、指針よりも奥側に発生可能に構成すると共に、
外側部分の虚像を、指針よりも手前側に発生可能に構成したことを特徴とする車両用表示装置。
【請求項２】
前記内側部分の虚像を、中央へ行くに従って段階的に奥まって行く段差形状となるように構成したことを特徴とする請求項１記載の車両用表示装置。
【発明の詳細な説明】
【技術分野】
【０００１】
この発明は、車両用表示装置に関するものである。
【背景技術】
【０００２】
自動車などの車両には、車室内の前部に計器装置などの表示装置が設けられている。このような表示装置には、表示板の裏面側に複数の画素部を設けると共に、表示板の表面側に各画素部と対応する凸レンズを設けて、表示板の奥側に画素部の虚像を発生させることにより、奥行感を生じさせるようにしたものがある（例えば、特許文献１参照）。
【特許文献１】特開２０００−３１０５４６号公報
【発明の開示】
【発明が解決しようとする課題】
【０００３】
しかしながら、上記特許文献１に記載された車両用表示装置では、表示板に対して、単に複数の画素部によるドットパターンを虚像として奥側に表示させるようにしているにしか過ぎず、表示装置としての機能には全く関係のない立体表示になっているという問題があった。
【課題を解決するための手段】
【０００４】
上記課題を解決するために、請求項１に記載された発明では、文字板の表面側に指針が回動可能に配設された車両用表示装置において、前記文字板を立体表示板とし、該立体表示板の内側部分の虚像を、指針よりも奥側に発生可能に構成すると共に、外側部分の虚像を、指針よりも手前側に発生可能に構成した車両用表示装置を特徴としている。
【０００５】
請求項２に記載された発明では、前記内側部分の虚像を、中央へ行くに従って段階的に奥まって行く段差形状となるように構成した車両用表示装置を特徴としている。
【発明の効果】
【０００６】
請求項１の発明によれば、文字板の表面側に指針が回動可能に配設された車両用表示装置において、前記文字板を立体表示板とし、該立体表示板の内側部分の虚像を、指針よりも奥側に発生可能に構成すると共に、外側部分の虚像を、指針よりも手前側に発生可能に構成したことにより、一枚の平坦な文字板のみによって、立体形状を創出・視認させる効果を得ることができる。よって、表示装置を低価格化、薄型化、軽量化することが可能となる。
【０００７】
請求項２の発明によれば、前記内側部分の虚像を、中央へ行くに従って段階的に奥まって行く段差形状となるように構成したことにより、内側部分の立体感を増して、品質感を向上することができる。特に、内側部分が宙に浮いているような表示を行うことも可能となる。
【発明を実施するための最良の形態】
【０００８】
表示装置としての機能向上や品質向上を図り得るようにするという目的を、文字板を立体表示板とし、立体表示板の内側部分の虚像を、指針よりも奥側に発生可能に構成すると共に、外側部分の虚像を、指針よりも手前側に発生可能に構成する、という手段で実現した。
【実施例１】
【０００９】
以下、本発明を具体化した実施例について、図示例と共に説明する。
【００１０】
図１〜図４は、この発明の実施例を示すものである。
【００１１】
まず、構成について説明する。自動車などの車両には、車室内の前部に計器装置などの表示装置１が設けられている。この表示装置１は、文字板２の表面側に指針３を回動可能に配設した構成を備えている。
【００１２】
文字板２は、指針回動領域と、この指針回動領域の外部に位置する外部領域とに分けられる。この場合、指針回動領域は、ほぼ円形状を呈している。また、指針３は、指針回動領域のほぼ中心位置に設けられた指針軸部４を中心に文字板２の表面に沿って回動し得るように構成されている。文字板２には、指針回動領域の外周部に沿って、メモリ５や数値６などが印刷形成されている。
【００１３】
この実施例では、文字板２を立体表示板１１とする。この立体表示板１１は、３Ｄ眼鏡やアイピースなどの補助具を用いずに、且つ、特殊な観察方法を行わずに、誰にでも、どの方向から見ても裸眼で立体視が可能なものとする。
【００１４】
そして、立体表示板１１の内側部分１２の虚像１３を、指針３よりも奥側に発生可能に構成する（沈み込み画像）と共に、外側部分１４の虚像１５を、指針３よりも手前側に発生可能に構成する（浮き出し画像）。なお、内側部分１２および外側部分１４は、それぞれ、指針回動領域および外部領域とほぼ対応してはいるが、完全に一致しているとは限らない。この場合には、内側部分１２は、指針回動領域よりも小さくなっている。また、外側部分１４は、外部領域よりも開口部の径が小さくなっている。
【００１５】
上記した立体表示板１１には、例えば、図５に示すような、表面に多数のマイクロレンズ部２１を有する透明基材２２の表面側や裏面側に文字板２の画像をドット印刷することにより、マイクロレンズ部２１を通して立体画像を生じさせ得るよう構成したものなどを採用する。
【００１６】
または、立体表示板１１には、例えば、図６、図７に示すように、右目用画像２５と左目用画像２６とを交互に並べて合成した合成画像２７の上に、蒲鉾状レンズ部２８を複数並設されたレンズシート２９を貼合わせて、それぞれの目に別々の画像が見えるようして立体画像を生じさせ得るよう構成したものなどを採用する。
【００１７】
なお、図５の原理を用いた立体表示板１１も、図６、図７の原理を用いた立体表示板１１も、共に、沈み込み画像（虚像１３）と浮き出し画像（虚像１５）との両方を発生させることが可能なものとなる。よって、立体表示板１１の内側部分１２を沈み込み画像発生部１６となるように構成し、立体表示板１１の外側部分１４を浮き出し画像発生部１７となるように構成する。
【００１８】
また、メモリ５や数値６については、実際の文字板２のある位置に視認できるようにしている。
【００１９】
次に、この実施例の作用について説明する。
【００２０】
図１〜図４に示すように、この実施例の文字板２は、立体表示板１１となっており、内側部分１２の虚像１３が、沈み込み画像発生部１６の作用により、指針３よりも奥側に発生されるため、あたかも内側部分１２が指針３よりも奥側にあるように視認される（沈み込み画像）。
【００２１】
また、外側部分１４の虚像１５が、浮き出し画像発生部１７の作用により、指針３よりも手前側に発生されるため、あたかも外側部分１４が指針３よりも手前側にあるように視認される（浮き出し画像）。
【００２２】
そして、メモリ５や数値６は、実際に文字板２がある位置に視認される。なお、文字板２自体は、視認できなくなるため、メモリ５や数値６は宙に浮いて見えるようになる。
【００２３】
このように、この実施例によれば、文字板２を立体表示板１１とし、立体表示板１１の内側部分１２の虚像を、指針３よりも奥側に発生可能に構成すると共に、外側部分１４の虚像を、指針３よりも手前側に発生可能に構成したことにより、一枚の平坦な文字板２のみによって、立体形状を創出・視認させる効果を得ることができる。よって、表示装置１を低価格化、薄型化、軽量化することが可能となる。
【実施例２】
【００２４】
図８〜図１１は、この発明を具体化した他の実施例およびその変形例を示すものである。なお、実施例１の全ての構成を備えているため、同一ないし均等な部分については、実施例１の説明を以てこの実施例の説明とする。
【００２５】
この実施例２のものでは、図８、図９に示すように、内側部分１２の虚像１３を、中央へ行くに従って段階的に奥まって行く段差形状となるように構成する（段差虚像３１）。
【００２６】
この段差虚像３１は、この場合、同心円状をした各面３３（最も小さなもののみ円形となり、その他のものは径の異なる環状のものとなる）が、所要の段差空間３２を有して、径の小さいもの程、奥側に位置するかの如く視認されるように構成されている。そのために、内側部分１２の沈み込み画像発生部１６による視認効果を多段化する（多段沈み込み画像発生部３６）。なお、外側部分１４については、同じであるため、図示および説明を省略している。
【００２７】
そして、この同心円状の段差虚像３１は、同心円状の各面３３が段差空間３２を有して宙に浮いて見えるように構成しても良いが、図１０に示すように、最も小さなものを除く各面３３の内側縁部に縁飾りとなる奥向きの斜面部３４を形成したり、図１１に示すように段差空間３２内に多段感を倍増させるためのサブ段差部３５を設けるようにしても良い。
【００２８】
また、斜面部３４やサブ段差部３５などの縁飾り部は、段差虚像３１とは異なる色にすることによって際立たせるようにようにすることもできる。
【００２９】
次に、この実施例の作用について説明する。
【００３０】
図８、図９に示すように、この実施例の文字板２は、立体表示板１１となっており、内側部分１２の虚像１３が、多段沈み込み画像発生部３６の作用により、指針３よりも奥側に発生される内側部分１２の虚像１３（沈み込み画像）が、中央へ行くに従って段階的に奥まって行く段差形状を有するように視認される（段差虚像３１）。
【００３１】
なお、外側部分１４の虚像１５（浮き出し画像）については、上記実施例と同じであるため、図示および説明を省略している。
【００３２】
このように、この実施例によれば、内側部分１２の虚像を、中央へ行くに従って段階的に奥まって行く段差形状となるように構成したことにより、内側部分１２の立体感を増して、品質感を向上することができる。
【００３３】
この場合、特に、内側部分１２が宙に浮いているような表示とすることも可能である。
【００３４】
また、図１０に示すように、最も小さなものを除く各面３３の内側縁部に奥向きの斜面部３４を形成して縁飾りを設けたり、図１１に示すように段差空間３２内にサブ段差部３５を設けて多段感を倍増させたりすることにより、品質感を更に向上することができる。
【００３５】
また、斜面部３４やサブ段差部３５などの縁飾り部の色を段差虚像３１とは異なるものとすることによって、これらを際立たせることができる。
【００３６】
上記以外の部分については、上記実施例と同様の構成を備えており、同様の作用・効果を得ることができる。よって、記載を省略した部分についての詳細は、上記実施例の説明を以てこの実施例の説明とすることができる。
【００３７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３８】
【図１】本発明の実施例にかかる車両用表示装置の正面図である。
【図２】図２の文字板を上方から見た図である。
【図３】図１の文字板の見え方を示す斜視図である。
【図４】図３を上方から見た図である。
【図５】マイクロレンズ部を利用した立体表示板の原理図である。
【図６】蒲鉾状レンズ部を利用した立体表示板の構成を示す図である。
【図７】図６の見え方を示す図である。
【図８】本発明の実施例にかかる車両用表示装置の正面図である。
【図９】図８の文字板の見え方を示す斜視図である。
【図１０】図８の変形例を示す上方から見た図である。
【図１１】図８の他の変形例を示す上方から見た図である。
【符号の説明】
【００３９】
２    文字板
３    指針
１１  立体表示板
１２  内側部分
１３  虚像
１４  外側部分
１５  虚像
３１  段差虚像
【図１】
2008039653.tif 000003
【図２】
2008039653.tif 000004
【図３】
2008039653.tif 000005
【図４】
2008039653.tif 000006
【図５】
2008039653.tif 000007
【図６】
2008039653.tif 000008
【図７】
2008039653.tif 000009
【図８】
2008039653.tif 000010
【図９】
2008039653.tif 000011
【図１０】
2008039653.tif 000012
【図１１】
2008039653.tif 000013